(57)【要約】【課題】複写による情報漏出を抑制できる印刷物を提供する。【解決手段】基材(1)と、基材(1)の表面(1a)の一部に形成された光沢層(2)と、基材(1)の表面(1a)の光沢層(2)の形成されていない部分を地として、地に対し、第１の印刷情報(C1)を視認判別可能とする濃度差(Δd)で印刷形成された第１の印刷層(31)と、光沢層(2)の表面(2a)又は隣接部に、第２の印刷情報(C2)を光沢層(2)の正反射光下で視認判別可能とするよう印刷形成された第２の印刷層(32)と、を備える。第１の印刷層(31)は地の色に近い色とされ、第２の印刷層(32)は黒又は黒に近い色とされている。【選択図】図１
2018094776.tif 000002
【特許請求の範囲】
【請求項１】
基材と、
前記基材の表面の一部に形成された光沢層と、
前記基材の表面の前記光沢層の形成されていない部分を地として、前記地に対し、第１の印刷情報を視認判別可能とする濃度差で印刷形成された第１の印刷層と、
前記光沢層の表面又は隣接部に、第２の印刷情報を前記光沢層の正反射光下で視認判別可能とするよう印刷形成された第２の印刷層と、
を備え、
前記第１の印刷層は、前記地の色に近い色であり、
前記第２の印刷層は、黒又は黒に近い色である印刷物。
【請求項２】
前記第１の印刷層は前記第１の印刷情報をネガで視認判別可能としている、又は前記第２の印刷層は前記第２の印刷情報をネガで視認判別可能としていることを特徴とする請求項１記載の印刷物。
【請求項３】
前記第１の印刷情報は、一の機密情報の一部を含み、前記第２の印刷情報は、前記一の機密情報から前記一部を除いた残部、又は前記残部の一部を含むことを特徴とする請求項１又は請求項２記載の印刷物。
【請求項４】
前記光沢層は、アルミニウム箔で形成されていることを特徴とする請求項１〜３のいずれか１項に記載の印刷物。
【請求項５】
複写物において、前記第１の印刷情報及び前記第２の印刷情報の少なくとも一方が視認判別不能となることを特徴とする請求項１〜４のいずれか１項に記載の印刷物。
【請求項６】
基材に印刷情報を印刷する印刷方法であって、
前記印刷情報から第１の印刷情報と第２の印刷情報とを分割取得する印刷情報分割取得ステップと、
前記基材の表面を地として、前記地に対し、前記第１の印刷情報を視認判別可能とする濃度差の印刷を行う対基材印刷ステップと、
前記基材に形成した光沢層の表面又は隣接部に対し、前記第２の印刷情報を前記光沢層の正反射光下で視認判別可能とする印刷を行う対光沢層印刷ステップと、を含み、
前記対基材印刷ステップにおける印刷色を、前記地の色に近い色とし、
前記対光沢層印刷ステップにおける印刷色を、黒又は黒に近い色とすることを特徴とする印刷方法。
【請求項７】
前記第１の印刷情報及び前記第２の印刷情報の内の少なくとも一方を、ネガで視認判別可能にすることを特徴とする請求項６記載の印刷方法。
【請求項８】
前記印刷情報分割取得ステップは、前記印刷情報が機密情報を含むか否かを判定する機密情報判定ステップを含み、
前記機密情報を含むと判定した場合に、前記第１の印刷情報及び前記第２の印刷情報を、前記機密情報から分割取得することを特徴とする請求項６又は請求項７記載の印刷方法。
【請求項９】
前記地の色，前記対基材印刷ステップにおける印刷色，及び前記対光沢層印刷ステップにおける印刷色、並びに、前記濃度差を、複写物において、前記第１の印刷情報及び前記第２の印刷情報の少なくとも一方が視認判別不能となるよう設定することを特徴とする請求項６〜請求項８のいずれか１項に記載の印刷方法。
【請求項１０】
基材に印刷情報が印刷された印刷物を製造する印刷物の製造方法であって、
前記印刷情報から第１の印刷情報と第２の印刷情報とを分割取得する印刷情報分割取得ステップと、
前記基材の表面の一部に光沢層を形成する光沢層形成ステップと、
前記基材の表面を地として、前記地に対し、前記第１の印刷情報を視認判別可能とする濃度差の印刷を行う対基材印刷ステップと、
前記光沢層の表面又は隣接部に対し、前記第２の印刷情報を前記光沢層の正反射光下で視認判別可能とする印刷を行う対光沢層印刷ステップと、
を含み、
前記対基材印刷ステップにおける印刷色を、前記地の色に近い色とし、
前記対光沢層印刷ステップにおける印刷色を、黒又は黒に近い色とする印刷物の製造方法。
【請求項１１】
前記第１の印刷情報及び前記第２の印刷情報の内の少なくとも一方を、ネガで視認判別可能にすることを特徴とする請求項１０記載の印刷物の製造方法。
【請求項１２】
前記印刷情報分割取得ステップは、前記印刷情報が機密情報を含むか否かを判定する機密情報判定ステップを含み、
前記機密情報を含むと判定した場合に、前記第１の印刷情報及び前記第２の印刷情報を、前記機密情報から分割取得することを特徴とする請求項１０又は請求項１１記載の印刷物の製造方法。
【請求項１３】
前記地，前記対基材印刷ステップにおける印刷色，及び前記対光沢層印刷ステップにおける印刷色、並びに、前記濃度差を、複写物において、前記第１の印刷情報及び前記第２の印刷情報の少なくとも一方が視認判別不能となるよう設定することを特徴とする請求項１０〜請求項１２のいずれか１項に記載の印刷物の製造方法。
【発明の詳細な説明】
【技術分野】
【０００１】
本発明は、印刷物，印刷方法，及び印刷物の製造方法に係り、特に、印刷されている情報の少なくとも一部が複写物において目視判別困難となる印刷物，印刷方法，及び印刷物の製造方法に関する。
【背景技術】
【０００２】
基材に金属層による光沢面が形成され、その光沢面上に情報（文字、図形、画像など）が印刷された印刷物が知られている（例えば特許文献１）。
この印刷物を複写機で複写すると、光沢面は、得られた物（複写物）において黒く複写されるため、複写であることが容易に判別される。
また、機密情報を黒く印刷しておけば、複写物において地となる光沢面が黒になるため、地と印刷部分との濃度差が小さくなって機密情報の目視判別が実質困難となる。従って、偽造及び機密情報漏出の抑制効果がある。
【先行技術文献】
【特許文献】
【０００３】
【特許文献１】特開平６−１５５９７５号公報
【発明の概要】
【発明が解決しようとする課題】
【０００４】
情報が黒く印刷された光沢面（以下光沢印刷面と称する）を有する従来の印刷物は、複写機で複写する際に、光沢面から受光素子に入射する光量が著しく少ないことから、複写濃度が標準又は濃い設定において、光沢印刷面の地の部分と黒く印刷された部分とは、濃度差がほとんどなく複写される。そのため、情報の目視判別が困難となる。
【０００５】
しかしながら、複写濃度を薄く設定して複写すると、光沢印刷面の地の部分と黒く印刷された部分とで複写濃度の薄くなり具合が異なることから、両部分の濃度差が、複写濃度を標準にした場合と比べて大きくなる。
そのため、光沢面に黒く印刷された情報の全てが目視判別可能となって情報漏出が容易になってしまう虞があった。
【０００６】
このように、印刷物に印刷された機密情報の全てが複写物で目視判別可能になると、複写による情報漏出が容易になる。
また、機密文書が、機密情報が印刷された光沢印刷面を有する従来の印刷物の多数頁からなるものだったとする。この場合でも、試し複写において、複写濃度を薄く設定することで機密情報が判別可能となることを確認できれば、複写機の自動送り機能で、頁毎に機密情報の全てを同時目視判別できる多数頁の複写物が容易に得られてしまう。すなわち、機密情報全体が簡単に漏出する懸念がある。
そのため、印刷物に印刷された情報が、複写によって漏出することを抑制できる工夫が望まれていた。
【０００７】
そこで、本発明が解決しようとする課題は、複写による情報漏出を抑制できる印刷物，印刷方法，及び印刷物の製造方法を提供することにある。
【課題を解決するための手段】
【０００８】
上記の課題を解決するために、本発明は次の構成、手順を有する。
１）  基材と、
前記基材の表面の一部に形成された光沢層と、
前記基材の表面の前記光沢層の形成されていない部分を地として、前記地に対し、第１の印刷情報を視認判別可能とする濃度差で印刷形成された第１の印刷層と、
前記光沢層の表面又は隣接部に、第２の印刷情報を前記光沢層の正反射光下で視認判別可能とするよう印刷形成された第２の印刷層と、
を備え、
前記第１の印刷層は、前記地の色に近い色であり、
前記第２の印刷層は、黒又は黒に近い色である印刷物、である。
２）  前記第１の印刷層は前記第１の印刷情報をネガで視認判別可能としている、又は前記第２の印刷層は前記第２の印刷情報をネガで視認判別可能としていることを特徴とする１）に記載の印刷物である。
３）  前記第１の印刷情報は、一の機密情報の一部を含み、前記第２の印刷情報は、前記一の機密情報から前記一部を除いた残部、又は前記残部の一部を含むことを特徴とする１）又は２）に記載の印刷物である。
４）  前記光沢層は、アルミニウム箔で形成されていることを特徴とする１）〜３）のいずれか一つに記載の印刷物である。
５）  複写物において、前記第１の印刷情報及び前記第２の印刷情報の少なくとも一方が視認判別不能となることを特徴とする１）〜４）のいずれか一つに記載の印刷物である。
６）  基材に印刷情報を印刷する印刷方法であって、
前記印刷情報から第１の印刷情報と第２の印刷情報とを分割取得する印刷情報分割取得ステップと、
前記基材の表面を地として、前記地に対し、前記第１の印刷情報を視認判別可能とする濃度差の印刷を行う対基材印刷ステップと、
前記基材に形成した光沢層の表面又は隣接部に対し、前記第２の印刷情報を前記光沢層の正反射光下で視認判別可能とする印刷を行う対光沢層印刷ステップと、を含み、
前記対基材印刷ステップにおける印刷色を、前記地の色に近い色とし、
前記対光沢層印刷ステップにおける印刷色を、黒又は黒に近い色とすることを特徴とする印刷方法である。
７）  前記第１の印刷情報及び前記第２の印刷情報の内の少なくとも一方を、ネガで視認判別可能にすることを特徴とする６）に記載の印刷方法である。
８）  前記印刷情報分割取得ステップは、前記印刷情報が機密情報を含むか否かを判定する機密情報判定ステップを含み、
前記機密情報を含むと判定した場合に、前記第１の印刷情報及び前記第２の印刷情報を、前記機密情報から分割取得することを特徴とする６）又は７）に記載印刷方法である。
９）  前記地の色，前記対基材印刷ステップにおける印刷色，及び前記対光沢層印刷ステップにおける印刷色、並びに、前記濃度差を、複写物において、前記第１の印刷情報及び前記第２の印刷情報の少なくとも一方が視認判別不能となるよう設定することを特徴とする６）〜８）のいずれか一つに記載の印刷方法である。
１０）  基材に印刷情報が印刷された印刷物を製造する印刷物の製造方法であって、
前記印刷情報から第１の印刷情報と第２の印刷情報とを分割取得する印刷情報分割取得ステップと、
前記基材の表面の一部に光沢層を形成する光沢層形成ステップと、
前記基材の表面を地として、前記地に対し、前記第１の印刷情報を視認判別可能とする濃度差の印刷を行う対基材印刷ステップと、
前記光沢層の表面又は隣接部に対し、前記第２の印刷情報を前記光沢層の正反射光下で視認判別可能とする印刷を行う対光沢層印刷ステップと、
を含み、
前記対基材印刷ステップにおける印刷色を、前記地の色に近い色とし、
前記対光沢層印刷ステップにおける印刷色を、黒又は黒に近い色とする印刷物の製造方法である。
１１）  前記第１の印刷情報及び前記第２の印刷情報の内の少なくとも一方を、ネガで視認判別可能にすることを特徴とする１０）に記載の印刷物の製造方法である。
１２）  前記印刷情報分割取得ステップは、前記印刷情報が機密情報を含むか否かを判定する機密情報判定ステップを含み、
前記機密情報を含むと判定した場合に、前記第１の印刷情報及び前記第２の印刷情報を、前記機密情報から分割取得することを特徴とする１０）又は１１）に記載の印刷物の製造方法である。
１３）  前記地，前記対基材印刷ステップにおける印刷色，及び前記対光沢層印刷ステップにおける印刷色、並びに、前記濃度差を、複写物において、前記第１の印刷情報及び前記第２の印刷情報の少なくとも一方が視認判別不能となるよう設定することを特徴とする１０）〜１２）のいずれか一つに記載の印刷物の製造方法である。
【発明の効果】
【０００９】
本発明によれば、複写による情報漏出を抑制できる、という効果が得られる。
【図面の簡単な説明】
【００１０】
【図１】図１は、本発明の実施の形態に係る印刷物の実施例である印刷物Ｐを説明するための平面図である。
【図２】図２は、印刷物Ｐが有する印刷領域ＡＰ２の見え方を説明するための部分斜視図である。
【図３】図３は、図１におけるＳ３−Ｓ３位置での断面図である。
【図４】図４は、印刷物Ｐにおける印刷領域ＡＰ１及び印刷領域ＡＰ２の濃度を説明するためのグラフである。
【図５】図５は、印刷物Ｐの複写物Ｆａを説明するための平面図である。
【図６】図６は、印刷物Ｐの複写物Ｆｂを説明するための平面図である。
【図７】図７は、印刷物Ｐの複写物Ｆｃを説明するための平面図である。
【図８】図８は、印刷物Ｐに印刷する印刷情報Ｊの処理方法を説明するためのフロー図である。
【図９】図９は、印刷物Ｐの変形例である印刷物Ｐｎにおける印刷領域ＡＲ２を説明するための図である。
【図１０】図１０は、印刷物Ｐｎにおける印刷領域ＡＰ１及び印刷領域ＡＰ２の濃度を説明するためのグラフである。
【図１１】図１１は、印刷物Ｐの複写物Ｆｎ１，Ｆｎ２における印刷領域ＡＲ２を説明するための平面図である。
【図１２】図１２は、印刷物Ｐの変形例である印刷物Ｐｎ２における印刷領域ＡＲ１を説明するための平面図である。
【図１３】図１３は、印刷物Ｐｎ２における印刷領域ＡＲ１の濃度を説明するためのグラフである。
【図１４】図１４は、印刷物Ｐの変形例である印刷物Ｐｓを説明するための断面図である。
【発明を実施するための形態】
【００１１】
本発明の実施の形態に係る印刷物を、好ましい実施例である印刷物Ｐにより図１〜図３を参照して説明する。
図１は、印刷物Ｐの平面図であり、図２は、印刷物Ｐが有する印刷領域ＡＲ２を説明するための部分斜視図であり、図３は図１におけるＳ３−Ｓ３位置での断面図である。
【００１２】
また、以下の説明において、印刷物Ｐを複写した（する）者及び複写物を利用する者をまとめて、便宜的に利用者とも称する。
【００１３】
（実施例）
印刷物Ｐは、定型の基材１の表面に、地の濃度が異なる少なくとも二つの印刷領域ＡＲ１及び印刷領域ＡＲ２が設定されると共に、一方の印刷領域ＡＲ２の地が光沢を有し、印刷領域ＡＲ１及び印刷領域ＡＲ２それぞれに、印刷インキによって印刷層３１及び印刷層３２が形成されたものである。
【００１４】
印刷領域ＡＲ１は、基材１の表面１ａを印刷層３１の地とする領域であり、図１に示される二点鎖線は仮想線として設定される。
印刷領域ＡＲ２は、地として光沢反射層２が形成された領域であり、光沢反射層２の有無で他の領域と区別される。
【００１５】
基材１は、例えばＡ４サイズの上質紙とされる。基材１の材質は、表面１ａが、白又は濃度が白に近い色であれば、紙に限定されない。例えば樹脂シートであってもよい。
ここで、濃度は、白を０％、黒を１００％とする、輝度値に基づくグレースケール上の濃度であり、以下の説明でも同様である。
【００１６】
光沢反射層２は、例えば、所定範囲（印刷領域ＡＲ２）に糊を塗布した後、その糊を塗布した部分に金属箔を転写して形成される。
金属箔の種類は限定されるものではなく、例えばアルミニウム箔である。
【００１７】
光沢反射層２は、表面が入射光を乱反射することなくほぼ正反射する光沢面となるよう形成される。以下、理解容易のため、光沢反射層２の表面を光沢面２ａと称する。また、図１において、光沢面２ａはクロスハッチングで示されている。
【００１８】
印刷層３１は、地となる基材１の表面１ａの色に対し、グレースケール上の濃度が近い色のインキ層として、所定の印刷情報（後述する部分機密情報Ｃ１）を視認できるように印刷により形成される。インキは、例えばＵＶインキが用いられる。
【００１９】
表面１ａが例えば白の場合、印刷層３１の色は、目視判別可能な範囲で、できるだけグレースケール上の濃度で白に近い色（例えば薄い緑や薄い黄）などとする。
図１では、白に近い色であることを示すために、印刷層３１を点線の集合体で示してある。
【００２０】
印刷層３２は、黒又はグレースケール上の濃度で黒に近い濃い色（濃灰、濃紺など）のインキ層として印刷により形成される。インキは、例えばＵＶインキが用いられる。
【００２１】
印刷物Ｐに印刷する情報を印刷情報Ｊとする。印刷情報Ｊは、文字、図形、画像、及びそれらの組み合わせなど、である。
また、以下の説明において、印刷情報Ｊは機密情報Ｃを含むものとする。
【００２２】
印刷層３１及び印刷層３２は、印刷情報Ｊに含まれる機密情報Ｃを、視認把握できるように形成される。
詳しくは、印刷層３１の印刷内容は、機密情報Ｃの一部である部分機密情報Ｃ１に基づき設定され、印刷層３２の印刷内容は、機密情報Ｃにおける部分機密情報Ｃ１を除いた残り又はその残りの一部である部分機密情報Ｃ２に基づいて設定される。
【００２３】
具体例は、図１に示される。すなわち、機密情報Ｃは英単語の「ＦＬＯＷＥＲ」であり、部分機密情報Ｃ１は、その一部の文字列「ＦＬＯ」とされ、部分機密情報Ｃ２は、残りの文字列「ＷＥＲ」とされている。
【００２４】
印刷物Ｐにおいて、印刷層３１は、濃度が低い（薄い）ものの、既述のように地である表面１ａに対し目視判別可能な濃度差でポジにより形成される。
従って、利用者は、印刷物Ｐから部分機密情報Ｃ１を把握することができる。
【００２５】
一方、光沢反射層２の光沢面２ａは、光源から印刷物Ｐに照射される光の照射角度と、利用者が光源に対向する位置で印刷物Ｐを見る視認角度と、が一致しない場合、利用者に向かう反射光量が極めて少なくなる。すなわち、利用者には黒色又は濃灰色で認識される。
従って、光沢面２ａと、光沢面２ａに形成された印刷層３２と、の濃度差が小さく、利用者が部分機密情報Ｃ２を判別把握できない場合がある。
【００２６】
これに対し、印刷物Ｐの姿勢や利用者の視認角度を変えて光の照射角度と視認角度とを一致させた正反射光下において、光沢面２ａの地となる部分は、利用者に向かう反射光量が多くなって、図２に示されるように光沢のある部分（明るい部分）として視認される。
従って、光沢面２ａと印刷層３２との濃度差が大きくなる視認位置において、利用者は機密情報Ｃ２を判別把握できるようになる。
【００２７】
すなわち、利用者は、一つの印刷物Ｐから、部分機密情報Ｃ１と部分機密情報Ｃ２との両方を判別把握できるので、機密情報Ｃの全てが得られる。
【００２８】
次に、上述の印刷物Ｐを白黒複写機により２階調で複写した場合を、図４〜図７を参照して説明する。以下の説明では、白黒の複写において、設定濃度を３段階に変えて得られた複写物をそれぞれ複写物Ｆａ〜Ｆｃと称する。また、複写物Ｆａ〜Ｆｃを纏めて、複写物Ｆとも称する。
【００２９】
理解容易のため、まず、印刷物Ｐにおけるグレースケール上の濃度について、図４の濃度グラフを参照して説明する。図４には、印刷物Ｐの、複写機で認識される紙面直交方向への反射光に基づく各部分の濃度をグレースケールに換算した濃度が示されている。図４に示されるグレースケール上の濃度において、既述のように、白は０％、黒は１００％である。
【００３０】
すなわち、印刷物Ｐにおいて、印刷領域ＡＲ１の地である表面１ａが濃度０％の白、印刷層３１の色が白に近い濃度ｄ１で認識される色（薄緑など）、印刷領域ＡＲ２の印刷層３２の色が濃度１００％の黒、光沢面２ａが黒に近い濃度ｄ２で認識される濃灰や濃い色（濃紺など）となる。
【００３１】
濃度ｄ１は、例えば、一般に、白との対比で目視判別可能とされる濃度範囲（５％〜１００％）における小さい方の値で設定される。例えば、最小値の５％程度とされる。
地の表面１ａが白ではない色の場合、その地色に近い色は、地色濃度の±５％の範囲の濃度の色で設定される。
濃度ｄ２は、複写機における白黒複写の標準濃度設定で、一般に、黒と同色と判定される範囲である概ね７５％以上に設定される。例えば８０％程度とされる。この濃度７５％以上の色が黒に近い色とされる。
【００３２】
次に、印刷物Ｐを複写機により白黒複写して得られた複写物Ｆについて、図５〜図７を参照して説明する。
【００３３】
まず、印刷物Ｐを、複写機の濃度設定を標準とした白黒２階調で複写して得られた複写物Ｆａについて、図１及び図５を参照して説明する。
【００３４】
標準濃度設定された複写において、印刷物Ｐにおける印刷層３１は、色が薄く、かつ地となる表面１ａの白との濃度差も小さいことから、白として認識されて複写物Ｆａには複写されない。
従って、利用者が複写物Ｆａを見ても、複写物Ｆａの、印刷領域ＡＲ１に対応する複写印刷領域ＡＲ１ｆにおいて、部分機密情報Ｃ１に対応する文字列「ＦＬＯ」は視認できない。
【００３５】
一方、印刷物Ｐにおける光沢反射層２は、複写機において受光素子に達する反射光量が極少となるから、複写物Ｆａには、ほぼ黒の光沢反射層対応複写部２ｆとして複写される。
また、印刷物Ｐにおける光沢面２ａに形成された、部分機密情報Ｃ２に対応する印刷層３２は、複写物Ｆａにはそのまま黒の印刷層対応複写部３２ｆとして、光沢反射層対応複写部２ｆを地として複写される（図５では、印刷層対応複写部３２ｆは、便宜的に符号のみ記載してある）。
【００３６】
これにより、複写物Ｆａにおいて、光沢反射層対応複写部２ｆと印刷層対応複写部３２ｆとの濃度差は視認判別不能なほどに小さくなる。
すなわち、利用者が複写物Ｆａを見ても、部分機密情報Ｃ２である文字列「ＷＥＰ」は視認できない。
【００３７】
このように、基準濃度設定での複写で得た複写物Ｆａにおいて、部分機密情報Ｃ１及び部分機密情報Ｃ２の両方ともに視認把握は困難である。
従って、利用者は、複写物Ｆａから機密情報Ｃの全てを把握することができない。
【００３８】
次に、複写濃度を標準濃度よりも濃く（高く）設定して複写物Ｆｂを得た場合について、図１及び図６を参照して説明する。
【００３９】
この場合、印刷物Ｐの印刷領域ＡＲ１における白地の表面１ａの部分と、白に近い濃度ｄ１となる色で印刷形成された印刷層３１の部分と、で、設定される濃度の濃くなり具合が異なり、地よりもわずかに濃度が高い印刷層３１は、より濃くなるように設定される。
そのため、複写物Ｆｂにおいて、地は概ね白い複写印刷領域ＡＲ１ｆとして複写され、地よりも濃い濃度の印刷層３１の部分はより濃い印刷層対応複写部３１ｆとして複写される。
【００４０】
これにより、複写物Ｆｂにおいて、地となる表面Ｆｂ１と、部分機密情報Ｃ１に対応する印刷層対応複写部３１ｆと、には、印刷物Ｐよりも拡大した濃度差が生じ、印刷層対応複写部３１ｆが目視判別可能になる場合がある。
すなわち、利用者は、複写物Ｆｂにおいて部分機密情報Ｃ１を判別把握できる場合がある。
【００４１】
一方、印刷物Ｐの印刷領域ＡＲ２では、光沢反射層２の光沢面２ａの濃度がより濃く設定される。
そのため、印刷層３２は、複写物Ｆｂにおいてそのまま黒の印刷層対応複写部３２ｆとして複写され、光沢反射層２は、より濃い光沢反射層対応複写部２ｆとして複写される。
【００４２】
これにより、複写物Ｆｂにおいて、光沢反射層対応複写部２ｆと印刷層対応複写部３２ｆとの濃度差がより小さくなるので、光沢反射層対応複写部２ｆにおける印刷層対応複写部３２ｆの目視判別は困難となる（図６参照）。
すなわち、利用者は、複写物Ｆｂから部分機密情報Ｃ２を判別把握できない。
【００４３】
このように、複写濃度を濃く（高く）設定した複写で得た複写物Ｆｂにおいて、部分機密情報Ｃ１は把握できる場合が起こり得るが、部分機密情報Ｃ２は把握できない。
従って、利用者は、複写物Ｆｂから機密情報Ｃの全てを把握することはできない。
【００４４】
次に、複写濃度を標準濃度よりも薄く（低く）設定して複写物Ｆｃを得た場合について、図１及び図７を参照して説明する。
【００４５】
この場合、印刷物Ｐの印刷領域ＡＲ２に形成された黒い印刷層３２は、複写物Ｆｃに黒より濃度のやや薄い濃灰の印刷層対応複写部３２ｆとして複写される。
また、印刷物Ｐにおける光沢反射層２は、濃度がより薄く設定されて、複写物Ｆｃに光沢反射層対応複写部２ｆとして複写される(クロスハッチング付)。
【００４６】
濃度の薄くなり具合は、印刷層３２よりも光沢反射層２の光沢面２ａの方が大きいため、複写物Ｆｃにおいて、光沢反射層対応複写部２ｆの濃度がより低くなって印刷層対応複写部３２ｆとの濃度差が大きくなり、光沢反射層対応複写部２ｆにおける印刷層対応複写部３２ｆの目視判別が、可能となる場合がある
すなわち、利用者は、複写物Ｆｃにおいて部分機密情報Ｃ２を把握できる場合がある。
【００４７】
一方、印刷領域ＡＲ１については、印刷物Ｐの印刷層３１は、濃度がさらに薄く設定されるので、複写機において、地の色と同じ色（地の色が白の場合、実質的に白）として認識され、複写物Ｆｃには複写されない。
従って、利用者が複写物Ｆｃを見ても、部分機密情報Ｃ１である文字列「ＦＬＯ」を視認把握できない。
【００４８】
このように、複写濃度を薄く（低く）設定した複写で得た複写物Ｆｃにおいて、部分機密情報Ｃ２は把握できる場合が起こり得るが、部分機密情報Ｃ１は把握できない。
従って、利用者は、複写物Ｆｃから機密情報Ｃの全てを把握することはできない。
【００４９】
以上詳述したように、印刷物Ｐに印刷された機密情報Ｃが、例えば図１に示される文字列「ＦＬＯＷＥＲ」の場合、濃度を変えて複写しても、一つの複写物Ｆからは機密情報Ｃの一部である「ＦＬＯ」及び「ＷＥＲ」のいずれか一方のみしか得られず、機密情報Ｃの全てを把握することができない。
【００５０】
もちろん、高濃度と低濃度との両方で複写を行い、複写物Ｆｂ及び複写物Ｆｃを得て内容をつきあわせれば、機密情報Ｃの全体である「ＦＬＯＷＥＲ」を把握することはできる。
しかしながら、複写に手間及び時間がかかる上、利用者は、一つの複写物Ｆで機密情報Ｃの全てを把握することができない。
【００５１】
このように、印刷物Ｐは、複写濃度を変えて複写しても、機密情報Ｃの少なくとも一部が欠落した複写物Ｆを得るのみであり、利用者が一つの複写物Ｆから機密情報Ｃの全てを把握することができないようになっている。
これにより、複写物Ｆの利用価値は著しく低く、機密情報Ｃを得る目的で印刷物Ｐを複写する意味及び動機が実質的に失われる。
従って、印刷物Ｐは、複写による機密情報Ｃの漏出を効果的に抑制することができる。
【００５２】
次に、印刷物Ｐを製造する工程例について説明する。まず、印刷情報Ｊの処理手順である印刷情報処理手順について、図８のフロー図を参照して説明する。
【００５３】
印刷情報Ｊの処理は、印刷物Ｐの印刷レイアウトを決定するレイアウト工程又はその前工程で、作業者により、又はあらかじめプログラムされたコンピュータ等の情報処理装置によって実行する。
以下の説明では、レイアウトを行う作業者の人による処理手順として説明するが、作業者を情報処理装置と置き換えれば、自動の印刷情報処理手順の説明にもなる。
【００５４】
作業者は、印刷情報Ｊを取得する（Ｓｔｅｐ１）。
印刷情報Ｊは、印刷物Ｐの作成依頼者から提供された情報であって、例えば、文字、図形、画像、又はこれらの組み合わせ、などである。
【００５５】
作業者は、印刷情報Ｊに機密情報Ｃが含まれているか否かを判定する（Ｓｔｅｐ２）。
この判定は、作成依頼者からの機密情報Ｃに関する情報に基づいて実行する。自動処理の場合は、印刷情報Ｊのデータ中の機密情報Ｃに該当するデータにフラグなどの目印を付与し、判定可能にしておくとよい。
【００５６】
（Ｓｔｅｐ２）において、印刷情報Ｊが機密情報Ｃを含まない、と判定した場合（Ｎｏ）、通常の印刷手順へ移行すべく本手順は終了する。
印刷情報Ｊが機密情報Ｃを含む、と判定した場合（Ｙｅｓ）、作業者は、機密情報Ｃを、部分機密情報Ｃ１と部分機密情報Ｃ２とを分割取得する（Ｓｔｅｐ３）。
すなわち、部分機密情報Ｃ１と部分機密情報Ｃ２とを、重複せず、機密情報Ｃに含まれる情報として取得する。
従って、機密情報Ｃは、部分機密情報Ｃ１及び部分機密情報Ｃ２のみで構成されるものであってもよく、さらに他の機密情報を合わせて構成されるものであってもよい。
【００５７】
分割は例えば次のように実行するとよい。
すなわち、二分割後に機密情報量（文字数や画像面積）が極端に偏らないよう互いに近い情報量とする。
【００５８】
或いは、機密情報Ｃの中から、より機密性の高い高機密情報Ｃｍを抽出し、この高機密情報Ｃｍについて情報量が極端に偏らないよう（概ね同じとなることが望ましい）にするとよりよい。
これは、高機密情報Ｃｍが一方に偏ると、複写濃度を変えた複写により部分機密情報Ｃ１及び部分機密情報Ｃ２のいずれか一方が判別可能となった場合に、複写物Ｆが機密情報漏出の観点での価値を有し得るので、それを防止するためである。
【００５９】
（Ｓｔｅｐ３）を実行したら、次に、部分機密情報Ｃ１を印刷層３１に対応づけると共に、部分機密情報Ｃ２を印刷層３２に対応づける（Ｓｔｅｐ４）。また、この対応づけにおいて、グレースケール上の濃度を考慮して、印刷層３１，３２の印刷色を、それぞれ濃度ｄ１，ｄ２となるよう設定する。
既述のように、印刷層３１の色は、白に近い濃度ｄ１（図４参照）の薄灰又は薄い色とし、印刷層３２の色は、黒又は黒に近い濃度ｄ２（図４参照）の濃灰又は濃い色とする。
【００６０】
換言するならば、印刷層３１の色及び印刷層３２の色、並びに、印刷層３１と地となる表面１ａとの濃度差Δｄを、複写物Ｆにおいて、部分機密情報Ｃ１及び部分機密情報Ｃ２の少なくとも一方が視認判別不能とするよう実験から求め設定する。
【００６１】
ここで、濃度差Δｄは、印刷層３１の色の濃度ｄ１（％）と表面１ａの色の濃度との差であり、図４に示される例において、表面１ａが白（濃度０％）であるから、Δｄ＝ｄ１である。
【００６２】
（Ｓｔｅｐ１）〜（Ｓｔｅｐ４）の印刷情報処理を行ったら、印刷物Ｐを、次に説明するコールドフォイル印刷で形成する。
この印刷は、箔転写、印刷、保護層形成（ニス引き）を連続で実行するインライン型印刷機を用いて実行できる。
コールドフォイル印刷自体は周知技術であるから概要を説明する。
【００６３】
まず、基材１となる上質紙のロールから、上質紙を帯状に巻き出し、印刷物Ｐの印刷領域ＡＲ２とする範囲に糊を塗布する。
【００６４】
次に、アルミニウム箔を、上質紙の糊を塗布した部分に転写して光沢反射層２を形成する。
すなわち、巻き出された上質紙に対し、印刷領域ＡＲ２である光沢反射層２を、帯状延在方向に所定間隔で形成する。
【００６５】
次に、帯状の上質紙における印刷領域ＡＲ１とする部分、及び形成した光沢反射層２に対し、ＵＶインキによるカラーオフセット印刷を行う。
具体的には、プロセスカラーの４色である、黒、シアン、マゼンタ、イエロのＵＶインキを、この順に重畳印刷する。
【００６６】
印刷領域ＡＲ１に対しては、基材１となる上質紙の表面に、図８の印刷情報処理手順で設定した部分機密情報Ｃ１を視認可能とする印刷を行う。
印刷領域ＡＲ２に対しては、光沢反射層２の光沢面２ａに、図８の印刷情報処理手順で処理した部分機密情報Ｃ２を視認可能とする印刷を行う。
【００６７】
必要に応じて、保護層を形成する。具体的には、印刷層３１，３２を覆うようにＵＶ硬化型のニス引きを行う。
【００６８】
印刷領域ＡＲ１，ＡＲ２に対し、紫外線を照射してＵＶインキを固定させる。ニス引きをした場合は、ニスも硬化させる。
【００６９】
次に、帯状の上質紙を所定の間隔で切断して、印刷物Ｐを得る。
【００７０】
ここまで、印刷物Ｐの複写物Ｆを、白黒２階調の複写で得る例を説明した。
複写機は、一般的に、複写の階調設定を変更して、疑似階調によるものを含め、２階調を超える多階調での（例えば２５６階調での）複写を行うことができる。
【００７１】
印刷物Ｐに対し、多階調での複写を行うと、通常、印刷層３１と地となる表面１ａとの濃薄度合い、及び印刷層３２と地となる光沢面２ａとの濃薄度合いが、白黒の複写による複写物Ｆよりも繊細に再現された複写物Ｆｇが得られる。
そのため、複写物Ｆｇは、複写物Ｆよりも機密情報Ｃを把握し易くなる場合がある。
【００７２】
これに対しては、印刷層３１についてはより薄く細い線で形成し、印刷層３２は、より細い線で形成する、などの処理を行うとよい。
これにより、印刷物Ｐから機密情報Ｃを把握可能としつつ、なお複写物Ｆｇからの機密情報Ｃの把握を難しくすることはできるので、複写による機密情報Ｃの漏出を抑制することができる。
【００７３】
実施例は、上述の構成及び手順に限定されるものではなく、本発明の要旨を逸脱しない範囲において変形例としてもよい。
【００７４】
印刷物Ｐには、印刷領域ＡＲ１及び印刷領域ＡＲ２以外に、図１に示されるように、印刷領域ＡＲ３を設定して、機密ではない一般情報Ｇ（この例において文字列「写真集」）を印刷してもよい。
印刷領域ＡＲ３は、印刷領域ＡＲ１内又は印刷領域ＡＲ２内に、その全部又は一部が存在していてもよい。
また、機密情報Ｃの一部が、印刷領域ＡＲ３に印刷されていてもよいし、機密ではない一般情報Ｇが印刷領域ＡＲ１又は印刷領域ＡＲ２に印刷されていてもよい。
【００７５】
印刷領域ＡＲ２に印刷形成する印刷層３２は、図１に示されるポジとしての印刷に限定されず、図９（ａ）に示されるネガとしての印刷であってもよい。
すなわち、印刷層３２を、文字列「ＷＥＲ」のポジ印刷で形成する替わりに、「ＷＥＲ」のネガ印刷（抜き文字）で形成してもよい。以下、印刷層３２をネガ印刷で形成した印刷物を、印刷物Ｐｎと称する。
【００７６】
ネガ印刷は、光沢面２ａの上に、黒色又は黒に近い濃い色で行う。
例えば、図９（ａ）に示されるように、光沢印刷層２の上に、黒色のネガ印刷で印刷層３２を形成した場合、部分機密情報Ｃ２に対応する部分（文字列「ＷＥＲ」）は、地の光沢面２ａが露出した光沢部分３２ｍとなり、印刷層３２は黒ベタとして視認される。
【００７７】
この場合の、印刷領域ＡＲ２の、図４に相当する、複写機で認識される濃度グラフが図１０に示される。
図１０において、印刷層３２は黒ベタの濃度１００％であり、部分機密情報Ｃ２に対応する光沢部分３２ｍは１００％に近い濃度ｄ４となる。
【００７８】
濃度ｄ４は、濃度ｄ２と同様に、一般に、複写機における白黒複写の標準濃度設定で、黒と判定される範囲である７５％以上に設定される。例えば８０％程度とされる。
【００７９】
光沢面２ａ上にネガ印刷をした場合、実施例で説明したポジ印刷の場合と同様に、視認角度によって抜きとなる光沢部分３２ｍの見え方が大きく異なる。
すなわち、印刷物Ｐｎに対する光源からの光照射角度と利用者の視認角度とが一致しない場合、利用者に向かう反射光量が極めて少ないことから、部分機密情報Ｃ２に対応した光沢部分３２ｍは、利用者には黒色又は濃灰色で認識される。
従って、光沢部分３２ｍと黒ベタである印刷層３２との濃度差が小さく、利用者には部分機密情報Ｃ２を判別把握できない場合がある。
【００８０】
これに対し、印刷物Ｐｎの姿勢や利用者の見る位置を変えて光照射角度と視認角度とを一致させた正反射光下において、光沢部分３２ｍは、図９（ｂ）に示されるように、利用者に向かう反射光量が多くなって光沢のある部分（明るい部分）として視認される。
従って、光沢部分３２ｍと印刷層３２との濃度差が大きく、利用者は、光沢部分３２ｍを視認判別して部分機密情報Ｃ２を把握できる。
【００８１】
このような印刷物Ｐｎを複写機で複写して複写物Ｆｎ１を得た場合、複写濃度が標準及び標準より濃い設定で、光沢部分３２ｍは濃く複写される。
詳しくは、図１１（ａ）に示されるように、複写物Ｆｎ１において、光沢部分３２ｍに対応する複写部分である光沢部分対応複写部３２ｍｆと、黒ベタの印刷層３２に対応する複写部分である印刷層対応複写部３２ｆと、の濃度差がより小さくなり、光沢部分対応複写部３２ｍｆの目視判別は困難となる。
すなわち、利用者は、複写物Ｆｎ１から部分機密情報Ｃ２を把握できない。
【００８２】
一方、複写濃度を標準濃度よりも薄く（低く）設定して複写物Ｆｎ２を得た場合、図１１（ｂ）に示されるように、印刷物Ｐｎの黒ベタの印刷層３２は、黒よりやや濃度の薄い濃灰の印刷層対応複写部３２ｆとして複写される（図１１（ｂ）でクロスハッチングを付与）。
また、印刷物Ｐｎにおける光沢部分３２ｍは、濃度がより薄く設定されて複写物Ｆｎ２に光沢部分対応複写部３２ｍｆとして複写される(図１１（ｂ）では、区別のため網点を付与)。
【００８３】
これにより、複写物Ｆｎ２において、光沢部分対応複写部３２ｍｆの濃度がより低くなって印刷層対応複写部３２ｆとの濃度差が大きくなり、ベタの印刷層対応複写部３２ｆを地とする抜きの光沢部分対応複写部３２ｍｆの目視判別が可能になる場合がある
すなわち、利用者は、複写物Ｆｎ２において部分機密情報Ｃ２を把握できる場合がある。
【００８４】
このように、印刷物Ｐに対し、印刷層３２がネガポジ反転して形成された印刷物Ｐｎは、印刷領域ＡＲ２の複写における複写濃度に対する振る舞いが、濃度の濃薄が逆転するのみで、印刷物Ｐの場合と同じになる。
従って、印刷物Ｐｎは、印刷物Ｐと同様に、情報漏出を抑制する効果が得られる。
【００８５】
上述の印刷物Ｐ及び印刷物Ｐｎでは、印刷領域ＡＲ２において、光沢反射層２を全面ベタで形成し、その表面（光沢面２ａ）上に、ポジ又はネガの印刷層３２を重畳印刷するものとして説明した。
これらに対する変形例として、図１４に示されるように、光沢反射層２を、全面ベタではなく、印刷層３２の印刷柄を抜いた抜き印刷の光沢反射層２ｓとし、光沢反射層２ｓの隣接部である抜けた部分に印刷層３２ｓを形成した印刷物Ｐｓとしてもよい。
図１４は、印刷物Ｐｓの断面図を示しており、図３と対比できる図である。
【００８６】
印刷物Ｐｓにおいて、印刷層３２ｓは光沢反射層２の上に重畳形成されたものではなく、光沢反射層２ｓの隣接部における素材１の上に形成されている。
印刷物Ｐ，Ｐｎのように、光沢反射層２の上に重畳形成した印刷層３２の場合、視認される印刷層３２の色は、その三属性が地となる光沢反射層２の影響を受けて視認される。
そのため、印刷層３２を印刷物Ｐ，Ｐｎに対する直交方向から見たときの、印刷層３２周辺の光沢反射層２との濃度差を小さくすることには限界がある。
【００８７】
これに対し、印刷物Ｐｓは、印刷層３２ｓが基材１に形成されているため、見え方において、光沢反射層２の影響を受けない。
そのため、印刷層３２ｓを印刷物Ｐｎに対する直交方向から見たときの、印刷層３２周辺の光沢反射層２との濃度差を、実質的になくすように印刷層３２ｓの色を調整することが可能である。
従って、印刷物Ｐｓの複写物Ｆｓにおいて、複写濃度を薄く（低く）設定して複写した場合も、印刷層３２ｓはより視認把握しにくく、部分機密情報Ｃ２を把握することがより困難になる。
【００８８】
印刷物Ｐｓの印刷領域ＡＲ１には、図１に示されるようなポジの印刷層３１が形成されていてもよいし、図１２で示されるようなネガの印刷層３３が形成されていてもよい。また、印刷領域ＡＲ１には、印刷層３１と印刷層３３とが混在して形成されていてもよい。
【００８９】
実施例では、印刷領域ＡＲ１における部分機密情報Ｃ１に対応する印刷層３１の濃度を、地に対して高い（濃い）ものとして説明したが、逆であってもよい。
すなわち、印刷物Ｐ及び印刷物Ｐｎに対し、図１２に示されるように、印刷領域ＡＲ１に、部分機密情報Ｃ１を抜きとするベタの印刷層３３を、地の色（例えば白）に近い濃度の薄い色で形成した印刷物Ｐｎ２としてもよい。この場合、印刷層３３の形成範囲が、印刷領域ＡＲ１に対応する。
【００９０】
印刷物Ｐｎ２において、部分機密情報Ｃ１は、基材１の表面１ａが露出した地色部分３３ｎで示される（抜き文字列「ＦＬＯ」）。
基材１の表面１ａの色を、例えば白とすると、印刷層３３及び地色部分３３ｎのグレースケール上の濃度は、図１３に示されるように、部分機密情報Ｃ１に対応する地色部分３３ｎが濃度０％（白）で、印刷層３３が、白よりも僅かに高い（濃い）濃度ｄ５で設定される。
【００９１】
濃度ｄ５は、濃度ｄ１と同様に、例えば、白に対して目視判別可能とされる濃度範囲（５％〜１００％）における小さい方の値として設定される。例えば、最小値の５％程度とされる。
【００９２】
これにより、複写濃度の設定が標準及びそれより濃い場合、複写物において、印刷層３３に対応する複写部分と地色部分３３ｎに対応する複写部分との濃度差が大きくなって、地色部分３３ｎに対応する複写部分の判別が可能である。
【００９３】
一方、複写濃度の設定が薄い場合、印刷層３３は、色が薄い上に、濃度がさらに薄く設定されるので、複写機において実質白と認識され、複写されない。
従って、利用者は、複写物から部分機密情報Ｃ１を把握できない。
【００９４】
このように、印刷物Ｐ及び印刷物Ｐｎに対し、印刷領域ＡＲ１に印刷層３３をネガ印刷を行って部分機密情報Ｃ１に対応する抜きの地色部分３３ｎを形成した印刷物Ｐｎ２は、印刷領域ＡＲ１の複写における複写濃度に対する振る舞いが、濃度の濃薄が逆転するのみで、印刷物Ｐ，Ｐｎの場合と同じになる。
従って、印刷物Ｐｎ２は、印刷物Ｐ及び印刷物Ｐｎと同様に、情報漏出を抑制する効果が得られる。
【００９５】
印刷物Ｐ，Ｐｎ，Ｐｎ２は、印刷領域ＡＲ１と印刷領域ＡＲ２とをそれぞれ一つずつ有するものに限定されず、少なくとも一方の領域を複数有していてもよい。
印刷領域ＡＲ１に印刷される第１の印刷情報Ｃ１の色は、すべて同一でなくてもよい。また、複数の印刷領域ＡＲ１を有するときは、領域毎に色が異なっていてもよいし、同じであってもよい。
印刷領域ＡＲ２を複数有するときは、それぞれの印刷領域ＡＲ２の輪郭形状や面積が異なっていてもよいし、同じであってもよい。
【００９６】
複写機におけるカラー画像のグレースケール変換は、一般的に、輝度値に基づいて行われる。そのため、印刷領域ＡＲ１に形成する印刷層３１，３３の色は、同じ明度の場合に、赤や青よりも白に近くグレースケール変換される黄や緑にすると、印刷物Ｐにおいて視認可能でありながら複写物Ｆに対し複写されにくくなるので、望ましい。
【００９７】
印刷領域ＡＲ１において、ポジの印刷層３１とネガの印刷層３３とは混在してもよい。また、印刷領域ＡＲ３においても、印刷層３２は、ネガとポジとが混在していてもよい。
【００９８】
印刷層３１，印刷層３２，及び印刷層３３、並びに、光沢反射層２は、ベタ印刷で形成されたものに限らない。
ベタ印刷ではなく、網点、所定形状の繰り返しパターン、ランダムな模様などの抜きのある印刷であってもよい。また、ベタ印刷の範囲と抜きのある印刷の範囲とが混在していてもよい。
抜きのある印刷を行う場合は、いずれも印刷密度が高い（ベタに近い）方が、印刷物Ｐ，Ｐｎ，Ｐｎ２，Ｐｓを直接見たときの印刷情報Ｊ（機密情報Ｃ）の把握が良好になるので好ましい。
【００９９】
実施例において、光沢反射層２は、金属箔を用いて形成するものに限定されない。金属部ＰＭの形成方法は、光沢のある層を形成できる方法であれば限定されない。
例えば、金属粉末を含有する金属インキを、オフセット印刷，フレキソ印刷，
グラビア印刷，シルクスクリーン印刷，或いはインクジェット印刷などの印刷方法で印刷しても、光沢反射層２を形成できる。
また、電着方式による金属インキのパターン形成，金属インキをベタ塗りした後のレーザアブレイションによるパターン形成，或いはレジストマスクを使ったエッチングでのパターン形成、などにより、所望形状の光沢反射層２を形成してもよい。
【符号の説明】
【０１００】
１  基材、    １ａ  表面
２  光沢反射層、    ２ａ  光沢面、    ２ｆ  光沢反射層対応複写部
３１，３２，３３  印刷層
３１ｆ，３２ｆ  印刷層対応複写部、    ３２ｆ  印刷層対応複写部
３２ｍ  光沢部分、    ３２ｍｆ  光沢部分対応複写部
３３ｎ  地色部分
ＡＲ１，ＡＲ２，ＡＲ３  印刷領域、    ＡＲ１ｆ  複写印刷領域
Ｃ  機密情報、    Ｃｍ  高機密情報、    Ｃ１，Ｃ２  部分機密情報
ｄ１，ｄ２，ｄ４，ｄ５  濃度
Ｆａ〜Ｆｃ，Ｆ，Ｆｎ１，Ｆｎ２，Ｆｓ  複写物、    Ｆｂ１  表面
Ｇ  一般情報、    Ｊ  印刷情報
Ｐ，Ｐｎ，Ｐｎ２，Ｐｓ  印刷物
【図１】
2018094776.tif 000003
【図２】
2018094776.tif 000004
【図３】
2018094776.tif 000005
【図４】
2018094776.tif 000006
【図５】
2018094776.tif 000007
【図６】
2018094776.tif 000008
【図７】
2018094776.tif 000009
【図８】
2018094776.tif 000010
【図９】
2018094776.tif 000011
【図１０】
2018094776.tif 000012
【図１１】
2018094776.tif 000013
【図１２】
2018094776.tif 000014
【図１３】
2018094776.tif 000015
【図１４】
2018094776.tif 000016